(57)【要約】      （修正有）【課題】液体供給装置において、チューブ内の流路の閉塞を抑制することで、液体噴射装置への安定した液体の供給を可能とする液体供給装置を提供する。【解決手段】対象物に液体を噴射するヘッドに対して液体を供給するための液体供給装置であって、液体収容室５０と、液体注入部と、空気導入口５６１と、大気開放流路の少なくとも一部において、可撓性を有する第１のチューブ９６を含む大気開放流路と、第１のチューブの少なくとも一部分を支持する支持部８０と、を備える。支持部は、液体収容室の動きに追従した第１のチューブの動きを規制する。【選択図】図５
2017154253.tif 000002
【特許請求の範囲】
【請求項１】
対象物に液体を噴射するヘッドに対して前記液体を供給するための液体供給装置であって、
前記液体を収容可能な液体収容室と、
前記液体収容室と連通し、前記液体収容室内に前記液体を注入可能な液体注入部と、
前記液体収容室内に空気を導入するために前記液体収容室に設けられた開口である空気導入口と、
一端が前記空気導入口と連通し、他端が大気に開放した大気開放流路であって、大気開放流路の少なくとも一部において、可撓性を有する第１のチューブを含む大気開放流路と、
前記第１のチューブの少なくとも一部分を支持する支持部と、
を備え、
前記支持部は、前記液体収容室の動きに追従した前記第１のチューブの動きを規制する、液体供給装置。
【請求項２】
請求項１に記載の液体供給装置であって、
前記支持部は、前記第１のチューブの前記少なくとも一部分の曲率を所定範囲内に維持しつつ、前記第１のチューブの動きを規制する、液体供給装置。
【請求項３】
請求項１または請求項２に記載の液体供給装置であって、
前記支持部は、前記液体収容室における前記液体の上限位置よりも鉛直方向の上側に、前記第１のチューブの前記少なくとも一部分が位置するように、前記第１のチューブを支持する、液体供給装置。
【請求項４】
請求項１から請求項３のいずれか一項に記載の液体供給装置であって、
前記液体収容室は、前記液体供給装置内において、
前記ヘッドに対して前記液体を供給するための第１の姿勢と、
前記液体収容室が前記第１の姿勢と交差する方向を向き、前記液体収容室内に前記液体を注入するための第２の姿勢と、
の間での姿勢変化が可能なように保持され、
前記液体注入部は、前記第１の姿勢における前記液体収容室の側面に形成され、
前記支持部は、前記第１のチューブの前記少なくとも一部分を、前記第１の姿勢と前記第２の姿勢との両方において、鉛直方向の下側方向から上側方向に向かって付勢しつつ支持する、液体供給装置。
【請求項５】
請求項１から請求項３のいずれか一項に記載の液体供給装置であって、
前記液体収容室は、前記液体供給装置内において、
前記ヘッドに対して前記液体を供給するための第１の姿勢と、
前記液体収容室が前記第１の姿勢と略水平な方向を向き、前記液体収容室内に前記液体を注入するための第２の姿勢と、
の間での姿勢変化が可能なように保持され、
前記液体注入部は、前記第１の姿勢における前記液体収容室の上面に形成され、
前記支持部は、
前記液体収容室における前記液体の上限位置よりも鉛直方向の上側に前記第１のチューブの前記少なくとも一部分が位置するように前記第１のチューブを支持しつつ、かつ、
前記第１のチューブの前記少なくとも一部分を、前記液体収容室の動きに追従させて水平方向に移動させる、液体供給装置。
【請求項６】
請求項１から請求項５のいずれか一項に記載の液体供給装置であって、
前記大気開放流路の一部には、さらに、空気を収容可能な空気収容室が形成されている、液体供給装置。
【請求項７】
請求項１から請求項６のいずれか一項に記載の液体供給装置であって、
前記液体収容室には、さらに、前記液体を導出する液体導出口が形成され、
前記液体供給装置は、さらに、一端が前記液体導出口と連通した液体供給流路であって、液体供給流路の少なくとも一部において、可撓性を有する第２のチューブを含む液体供給流路を備え、
前記支持部は、
前記第１のチューブに加えてさらに、前記第２のチューブの少なくとも一部分を支持すると共に、
前記液体収容室の動きに追従した前記第２のチューブの動きを規制する、液体供給装置。
【請求項８】
請求項１から請求項７のいずれか一項に記載の液体供給装置であって、
前記支持部は、前記液体供給装置を収容する部材に取り付けられている、液体供給装置。
【請求項９】
液体噴射システムであって、
請求項１から請求項８のいずれか一項に記載の液体供給装置と、
前記ヘッドを有する液体噴射装置と、
前記液体供給装置と前記ヘッドとを接続し、前記液体収容室内の前記液体を前記ヘッドに流通させる流通管と、
を備える、液体噴射システム。
【発明の詳細な説明】
【技術分野】
【０００１】
本発明は、液体供給装置に関する。
【背景技術】
【０００２】
液体噴射装置としてのプリンターと、プリンターに液体（例えばインク）を供給するための液体供給装置と、を備える液体噴射システムが知られている。特許文献１，２には、このような液体噴射システムにおいて、液体供給装置とプリンターとの間を、可撓性を有する部材で形成されたチューブで接続することが記載されている。
【先行技術文献】
【特許文献】
【０００３】
【特許文献１】特開２０１１−２４０７０６号公報
【特許文献２】特開２０１１−２４０７０７号公報
【発明の概要】
【発明が解決しようとする課題】
【０００４】
特許文献１，２に記載されている液体噴射システムでは、共に、液体供給装置に対する液体の補充ができる。液体を補充する際、利用者は、液体供給装置の向きを変化させる。特許文献１，２に記載されている液体噴射システムでは、液体補充時の向きの変化に伴って、液体供給装置とプリンターとをつなぐチューブが変形（例えば、屈曲、他の部材の間に挟み込まれる等）し、チューブ内の流路が閉塞するという課題があった。
【０００５】
なお、このような課題は、液体補充時に液体供給装置の向きを変化させないタイプの液体供給装置にも共通した課題である。また、このような課題は、特許文献１，２に記載された液体流路を形成するためのチューブだけでなく、液体供給装置の内外に配置される種々の用途のチューブ（例えば、空気流路を形成するためのチューブ）に共通した課題である。
【０００６】
このため、チューブ内の流路の閉塞を抑制することで、液体噴射装置への安定した液体の供給が可能な液体供給装置が望まれていた。
【課題を解決するための手段】
【０００７】
本発明は、上述の課題の少なくとも一部を解決するためになされたものであり、以下の形態として実現することが可能である。
【０００８】
（１）本発明の一形態によれば、対象物に液体を噴射するヘッドに対して前記液体を供給するための液体供給装置が提供される。この液体供給装置は；前記液体を収容可能な液体収容室と；前記液体収容室と連通し、前記液体収容室内に前記液体を注入可能な液体注入部と；前記液体収容室内に空気を導入するために前記液体収容室に設けられた開口である空気導入口と；一端が前記空気導入口と連通し、他端が大気に開放した大気開放流路であって、大気開放流路の少なくとも一部において、可撓性を有する第１のチューブを含む大気開放流路と；前記第１のチューブの少なくとも一部分を支持する支持部と、を備え；前記支持部は、前記液体収容室の動きに追従した前記第１のチューブの動きを規制する。
この形態の液体供給装置によれば、大気開放流路の一端は液体収容室の空気導入口と接続されているため、液体収容室が動かされた場合、この動きに追従して大気開放流路の第１のチューブにも動きが生じる。本形態の液体供給装置では、このような第１のチューブの動きは支持部によって規制される。このため、第１のチューブが大きく動いてチューブに負荷が掛かることに伴う、チューブ内の流路（大気開放流路）の閉塞を抑制することができる。この結果、本形態の液体供給装置では、大気開放流路の閉塞に起因して液体が正しく供給できなくなるという問題の発生を低減することができ、液体噴射装置への液体供給の安定化を図ることができる。
【０００９】
（２）上記形態の液体供給装置において；前記支持部は、前記第１のチューブの前記少なくとも一部分の曲率を所定範囲内に維持しつつ、前記第１のチューブの動きを規制してもよい。
この形態の液体供給装置によれば、第１のチューブのうち、支持部によって支持されている少なくとも一部分の曲率が所定範囲内に維持されるため、第１のチューブの屈曲に伴うチューブ内の流路の閉塞をより効果的に抑制することができる。
【００１０】
（３）上記形態の液体供給装置において；前記支持部は、前記液体収容室における前記液体の上限位置よりも鉛直方向の上側に、前記第１のチューブの前記少なくとも一部分が位置するように、前記第１のチューブを支持してもよい。
この形態の液体供給装置によれば、第１のチューブの少なくとも一部分が液体収容室における液体の上限位置よりも鉛直方向の上側を通過する。このため、液体収容室から第１のチューブ内に漏出した液体が、チューブ内を伝って外部へ漏出することを抑制することができる。
【００１１】
（４）上記形態の液体供給装置において；前記液体収容室は、前記液体供給装置内において；前記ヘッドに対して前記液体を供給するための第１の姿勢と；前記液体収容室が前記第１の姿勢と交差する方向を向き、前記液体収容室内に前記液体を注入するための第２の姿勢と；の間での姿勢変化が可能なように保持され；前記液体注入部は、前記第１の姿勢における前記液体収容室の側面に形成され；前記支持部は、前記第１のチューブの前記少なくとも一部分を、前記第１の姿勢と前記第２の姿勢との両方において、鉛直方向の下側方向から上側方向に向かって付勢しつつ支持してもよい。
この形態の液体供給装置によれば、第１のチューブの少なくとも一部分は、ヘッドに対して液体を供給するための第１の姿勢と、液体収容室内に液体を注入するための第２の姿勢と、の両方において下側方向から上側方向に向かって付勢されている。このため、液体収容室から第１のチューブ内に漏出した液体が、チューブ内を伝って外部へ漏出することを、より効果的に抑制することができる。
【００１２】
（５）上記形態の液体供給装置において；前記液体収容室は、前記液体供給装置内において；前記ヘッドに対して前記液体を供給するための第１の姿勢と；前記液体収容室が前記第１の姿勢と略水平な方向を向き、前記液体収容室内に前記液体を注入するための第２の姿勢と；の間での姿勢変化が可能なように保持され；前記液体注入部は、前記第１の姿勢における前記液体収容室の上面に形成され；前記支持部は；前記液体収容室における前記液体の上限位置よりも鉛直方向の上側に前記第１のチューブの前記少なくとも一部分が位置するように前記第１のチューブを支持しつつ、かつ；前記第１のチューブの前記少なくとも一部分を、前記液体収容室の動きに追従させて水平方向に移動させてもよい。
この形態の液体供給装置によれば、液体収容室の動きに追従して移動する第１のチューブの少なくとも一部分は、移動の前後を通して液体収容室における液体の上限位置よりも鉛直方向の上側に支持される。このため、液体収容室から第１のチューブ内に漏出した液体が、チューブ内を伝って外部へ漏出することを、より効果的に抑制することができる。
【００１３】
（６）上記形態の液体供給装置において；前記大気開放流路の一部には、さらに、空気を収容可能な空気収容室が形成されていてもよい。
この形態の液体供給装置によれば、液体収容室から第１のチューブ内に漏出した液体を空気収容室に収容することができる。このため、液体収容室からチューブ内に漏出した液体が外部へ漏出することを、より効果的に抑制することができる。
【００１４】
（７）上記形態の液体供給装置において；前記液体収容室には、さらに、前記液体を導出する液体導出口が形成され；前記液体供給装置は、さらに、一端が前記液体導出口と連通した液体供給流路であって、液体供給流路の少なくとも一部において、可撓性を有する第２のチューブを含む液体供給流路を備え；前記支持部は；前記第１のチューブに加えてさらに、前記第２のチューブの少なくとも一部分を支持すると共に；前記液体収容室の動きに追従した前記第２のチューブの動きを規制してもよい。
この形態の液体供給装置によれば、液体供給流路の一端は液体収容室の液体導出口と接続されている。このため、液体収容室が動かされた場合、この動きに追従して液体供給流路の第２のチューブにも動きが生じる。本形態の液体供給装置では、このような第２のチューブの動きは支持部によって規制されるため、第２のチューブが大きく動くことに伴って生じるチューブ内の流路（液体供給流路）の閉塞を抑制することができる。この結果、本形態の液体供給装置では、液体供給流路の閉塞に起因して液体が正しく供給できなくなるという問題の発生を低減することができ、液体噴射装置への液体供給の安定化を図ることができる。
【００１５】
（８）上記形態の液体供給装置において；前記支持部は、前記液体供給装置を収容する部材に取り付けられていてもよい。
この形態の液体供給装置によれば、液体供給装置を収容する部材に支持部を取り付けることで、液体供給装置を含むシステム（例えば液体噴射システム）の構成を簡略化することができる。
【００１６】
（９）本発明の一形態によれば、液体噴射システムが提供される。この液体噴射システムは、上記形態の液体供給装置と；前記ヘッドを有する液体噴射装置と；前記液体供給装置と前記ヘッドとを接続し、前記液体収容室内の前記液体を前記ヘッドに流通させる流通管と、を備える。
【００１７】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１８】
なお、本発明は、種々の態様で実現することが可能であり、例えば、液体供給装置、液体供給装置に接続される液体噴射装置、液体供給装置と液体噴射装置とを含む液体噴射システム、これら装置の製造方法、これら装置の製造装置、これら装置によって液体が噴射された対象物等の態様で実現できる。また、本発明の液体供給装置は、サブタンク等を介して記録ヘッドに液体を供給する態様でも実施できる。
【図面の簡単な説明】
【００１９】
【図１】本発明の一実施形態としての液体噴射システムの概略図である。
【図２】本発明の一実施形態としての液体噴射システムの概略図である。
【図３】液体供給装置内の経路を概念的に示す図である。
【図４】液体供給装置からサブタンクにインクが供給される原理について説明する図である。
【図５】使用状態（第１の姿勢）の液体供給装置について説明する図である。
【図６】液体補充状態（第２の姿勢）の液体共有装置について説明する図である。
【図７】使用状態における他の実施形態１の液体供給装置について説明する図である。
【図８】液体補充状態における他の実施形態１の液体供給装置について説明する図である。
【発明を実施するための形態】
【００２０】
Ａ．実施形態：
Ａ−１．液体噴射システムの構成：
図１および図２は、本発明の一実施形態としての液体噴射システム１の概略図である。図１は液体噴射システム１の外観を表し、図２は液体噴射システム１の外観および内部構造（破線）の一部を表す。液体噴射システム１は、プリンター１０と、液体収容室５０を含む液体収容ユニット３０と、空気収容室６０と、を備えている。プリンター１０は「液体噴射装置」として機能する。液体収容ユニット３０（液体収容室５０）と空気収容室６０とは「液体供給装置」として機能する。
【００２１】
液体噴射システム１の使用状態では、液体収容ユニット３０（液体収容室５０）は、図１に示すようにプリンター１０の内部に収納される。液体噴射システム１の液体補充状態では、液体収容ユニット３０（液体収容室５０）は、図２に示すようにプリンター１０の外部に露出される。一方、図２に示すように、空気収容室６０は、液体噴射システム１の状態（使用状態／液体補充状態）にかかわらずプリンター１０の内部に収納されている。以降、使用状態の際に液体供給装置（特に液体収容室５０）がとる姿勢を「第１の姿勢」とも呼ぶ。一方、液体補充状態の際に液体供給装置（特に液体収容室５０）がとる姿勢を「第２の姿勢」とも呼ぶ。
【００２２】
図１および図２には、互いに直交するＸＹＺ軸が描かれている。Ｘ軸は、プリンター１０の「幅方向」に対応する。同様に、Ｙ軸はプリンター１０の「奥行き方向」に対応し、Ｚ軸はプリンター１０の「高さ方向」に対応する。すなわち、プリンター１０は、Ｘ軸方向とＹ軸方向とによって規定される水平面に設置されている。また、図１および図２において＋Ｚ軸方向（すなわち紙面上側）を鉛直上方向とも呼び、−Ｚ軸方向（すなわち紙面下側）を鉛直下方向とも呼ぶ。なお、図３以降の図においても、図１，２と対応する方向のＸＹＺ軸を表す。
【００２３】
プリンター１０は、いわゆるインクジェットプリンターである。プリンター１０は、用紙等の記録媒体上に液体（液滴）としてのインクを吐出することで、記録媒体への印刷を行う。プリンター１０は、操作パネル１１（図１）と、筺体１２と、記録ヘッド１４（図２）と、排出部１６と、を備えている。
【００２４】
筺体１２は、略直方体形状である。筺体１２は、前面（第１面、第１壁）１０１と、背面（第２面、第２壁）１０２と、左側面（第１側面、第１側壁）１０３と、右側面（第２側面、第２側壁）１０４と、上面（第３面、第３壁）１０５と、底面（第４面、第４壁）１０６と、を備えている。６つの各面１０１〜１０６によって、プリンター１０の外殻である筺体１２が構成されている。前面１０１と背面１０２とは対向する。同様に、左側面１０３と右側面１０４とは対向する。前面１０１、背面１０２、左側面１０３、右側面１０４は、プリンター１０の設置面に対して略垂直な面である。左側面１０３と右側面１０４とは、それぞれ、前面１０１と背面１０２と交差している。一方、上面１０５と底面１０６とは対向する。上面１０５、底面１０６は略水平な面である。なお、本実施形態において「略垂直」や「略水平」とは、完全に「垂直」又は「水平」である意味に加え、概ね「垂直」又は「水平」である意味を含む。つまり、各面１０１〜１０６は、完全な平面ではなく凹凸等を許容する。
【００２５】
上述したＸ軸方向は、左側面１０３と右側面１０４とが対向する方向である。同様に、Ｙ軸方向は、前面１０１と背面１０２とが対向する方向である。Ｚ軸方向は、上面１０５と底面１０６とが対向する方向である。
【００２６】
操作パネル１１と、排出部１６とは、筺体１２の前面１０１に設けられている。操作パネル１１は、プリンター１０の各部を操作するための複数のボタンと、プリンター１０の状態を表す表示部（ＬＥＤ等）と、を含んでいる。操作パネル１１の操作により、例えば、プリンター１０の電源ＯＮ／ＯＦＦ等が切り替えられる。排出部１６は、印刷済みの記録媒体を排出する。
【００２７】
記録ヘッド１４は、筺体１２の内部に設けられている。記録ヘッド１４は、液体（液滴）としてのインクを記録媒体上に吐出するための液体噴射部として機能する。記録ヘッド１４は、キャリッジ１８（図４）によって保持されており、筺体１２の内部を、主走査方向（Ｘ軸方向）および副走査方向（Ｙ軸方向）に移動される。記録ヘッド１４は、主走査方向および副走査方向に移動されつつインクを吐出する。本実施形態では、記録ヘッド１４は主走査方向および副走査方向に移動される構成としたが、他の態様を採用することもできる。例えば、記録ヘッド１４は、主走査方向（Ｘ軸方向）の全体に亘って伸び、副走査方向（Ｙ軸方向）にのみ移動されるラインヘッドであってもよい。
【００２８】
液体収容ユニット３０は、筺体１２の前面１０１の右側部分（前面右側１０９）に取り付けられている。図２に示すように、液体収容ユニット３０は、ケース４０と、ケース４０内に配置された複数の液体収容室５０Ｋ〜５０Ｙと、を備えている。ケース４０は、図２に示すように２枚の板状部材（外側ケース４２、内側ケース４３）から構成されている。外側ケース４２は矩形形状の平板であり（図１）、鉛直下方向にはケース４０をプリンター１０に固定するヒンジ４１が設けられている。外側ケース４２は、図１に示す使用状態（第１の姿勢）において前面１０１と略水平であり、図２に示す液体補充状態（第２の姿勢）において底面１０６と略水平となる。内側ケース４３は、各液体収容室５０Ｋ〜５０Ｙの側面形状と同じ形状の平板であり（図２）、一辺が外側ケース４２と接合されている。
【００２９】
各液体収容室５０Ｋ〜５０Ｙは、図２に示す液体補充状態（第２の姿勢）において、外側ケース４２の鉛直上方向に、Ｘ軸方向に沿って並んで配置されている。液体収容室５０Ｋは、ブラックのインクを収容する。同様に、液体収容室５０Ｃはシアンのインクを、液体収容室５０Ｍはマゼンタのインクを、液体収容室５０Ｙはイエローのインクを、それぞれ収容する。各液体収容室５０Ｋ〜５０Ｙは、それぞれ、後述する第１のチューブ９６（図１，２では図示省略）を介して、対応する空気収容室６０Ｋ〜６０Ｙに接続されている。
【００３０】
また、各液体収容室５０Ｋ〜５０Ｙは、それぞれ、後述する第２のチューブ９７（図１，２では図示省略）を介して、対応する第１の接続体７０Ｋ〜５０Ｙに接続されている。さらに、各第１の接続体７０Ｋ〜５０Ｙは、それぞれ、対応する流通管９９を介して記録ヘッド１４に接続されている。このため、各液体収容室５０Ｋ〜５０Ｙに収容されている各色のインクは、それぞれ、プリンター１０が備えるポンプ等の供給機構によって流通管９９を通って記録ヘッド１４へと供給される。換言すれば、液体収容室５０Ｋ〜５０Ｙは、液体噴射部としての記録ヘッド１４に供給するためのインクを収容することができる。
【００３１】
なお、以降では、各液体収容室５０Ｋ〜５０Ｙを区別して説明する場合は、例えば「液体収容室５０Ｋ」等とアルファベットを付して呼び、各液体収容室５０Ｋ〜５０Ｙを区別せずに説明する場合は単に「液体収容室５０」と呼ぶ。同様に、各空気収容室６０Ｋ〜５０Ｙや、各第１の接続体７０Ｋ〜５０Ｙを区別して説明する場合はアルファベットを付して呼び、各空気収容室６０Ｋ〜５０Ｙや、各第１の接続体７０Ｋ〜５０Ｙを区別せずに説明する場合は単に「空気収容室６０」、「第１の接続体７０」と呼ぶ。なお、液体収容室５０の個数として４つを例示したが、これに限られない。例えば、液体収容室５０は１以上の任意の数とすることができる。この場合、空気収容室６０および第１の接続体７０の数は、液体収容室５０の数と同じ数となる。また、第１の接続体７０は省略してもよい。この場合、各液体収容室５０Ｋ〜５０Ｙに収容されている各色のインクは、液体収容室５０から延びる流通管９９を介して記録ヘッド１４へ供給されればよい。
【００３２】
本実施形態において、Ｘ軸方向を、液体収容ユニット３０および液体収容室５０の「幅方向」とも呼ぶ。同様に、Ｙ軸方向を液体収容ユニット３０および液体収容室５０の「奥行き方向」とも呼び、Ｚ軸方向を液体収容ユニット３０および液体収容室５０の「高さ方向」とも呼ぶ。
【００３３】
Ａ−２．液体供給装置の概略：
液体供給装置（液体収容ユニット３０、空気収容室６０）の詳細な構成を説明する前に、理解の容易のために、液体供給装置から液体噴射装置（プリンター１０）へとインクが供給される仕組みについて説明する。
【００３４】
図３は、液体供給装置内の経路を概念的に示す図である。図３では、空気収容室６０の大気開放口６９１から、液体収容ユニット３０（液体収容室５０）の液体導出口５７１に至る経路を概念的に示している。大気開放口６９１から液体導出口５７１に至る経路（流路）は、大気開放流路３００と、液体収容室５０とに大別される。
【００３５】
大気開放流路３００は、上流（大気側）から順に、第１の流路３１０と、空気収容室６０と、第２の流路３２０とからなる。第１の流路３１０の一端は、空気収容室６０の大気開放口６９１である。大気開放口６９１は、空気収容室６０の第２の開口部材６９に設けられた開口である。大気開放口６９１によって、第１の流路３１０の一端は外部に向かって開口し、大気に連通している。第１の流路３１０は、空気収容室６０の本体６１（図５）が、隔壁６２（図５）によって区画されることにより形成されている。第１の流路３１０の他端は、隔壁６２の開口６２１である。この第１の流路３１０によって、空気収容室６０は大気に連通し、空気収容室６０内に空気が導入される。
【００３６】
空気収容室６０は、隔壁６２で区切られた部分を除く本体６１の内部が、液体収容室５０から逆流してきたインクを貯留し、空気収容室６０よりも上流側へインクが流出することを抑制する。空気収容室の流路断面積は、第１の流路３１０の断面積よりも大きい。上述の通り、本実施系形態では、空気収容室６０は、大気開放流路３００の一部として設けられている。
【００３７】
第２の流路３２０の一端は、空気収容室６０の液体室側開口６５１である。液体室側開口６５１は、空気収容室６０の第１の開口部材６５に設けられた開口である。第２の流路３２０は、空気収容室６０の第１の開口部材６５と、液体収容室５０の開口部材５６とを接続する第１のチューブ９６により形成されている。第２の流路３２０の他端は、液体収容室５０の空気導入口５６１である。空気導入口５６１は、液体収容室５０の開口部材５６に設けられた開口である。この第２の流路３２０によって、液体収容室５０は空気収容室６０と接続され、液体収容室５０内に空気が導入可能となる。具体的には、図１に示す使用状態（第１の姿勢）において、液体収容室５０の空気導入口５６１の近傍には、大気と直接連通する液面（メニスカス）が形成され、空気導入口５６１から導入される気泡の形で、液体収容室５０内に空気が導入される。なお、第２の流路３２０の流路断面積（すなわち第１のチューブ９６の内径）は、空気導入口５６１の近傍におけるメニスカス（液面架橋）を形成可能な程度に小さいことが好ましい。
【００３８】
なお、以上説明した経路はあくまで一例であり、種々の変形が可能である。例えば、大気開放流路３００の途中には、流路と流路とを接続する接続部材や、上流への液体の流入を抑制するための透湿防水部材（例えば、気液分離膜）等を設けてもよい。また、第１の流路３１０や第２の流路３２０の流路断面積は、適宜設計することができる。さらに、大気開放口６９１から液体導出口５７１に至る経路においてさらに、上述しないさらなる経路を設けてもよい。
【００３９】
液体収容室５０は、本体５１（図５）の内部にインクを収容する。液体収容室５０に収容されているインクは、液体導出部材５７に設けられた液体出口（液体導出口５７１）から、第２のチューブ９７と、第１の接続体７０と、流通管９９とを介して、記録ヘッド１４に裁置されているサブタンク２０（図４）へと供給される。
【００４０】
図４は、液体供給装置からサブタンク２０にインクが供給される原理について説明する図である。図４は、Ｘ軸正方向側から見た液体収容室５０と、記録ヘッド１４に裁置されているサブタンク２０とを模式的に示している。本実施形態の液体供給装置は、マリオット瓶の原理を利用して、インクを液体噴射装置（プリンター１０の記録ヘッド１４）へと供給する。
【００４１】
液体供給装置および液体噴射装置を含んだ液体噴射システム１は、水平面上に設置されている。液体収容室５０の液体導出口５７１と、サブタンク２０の液体受入部２０２とは、第２のチューブ９７と、第１の接続体７０と、流通管９９とを介して接続されている。図４では、説明の便宜上、第１の接続体７０の図示を省略する。
【００４２】
サブタンク２０は、ポリスチレンやポリエチレン等の合成樹脂により成形されている。サブタンク２０は、インク貯留室２０４と、フィルター２０６と、インク流動路２０８とを備える。インク貯留室２０４は、液体収容室５０から供給されたインクを貯留する。フィルター２０６は、インクに異物等の不純物が混入していた場合に、その不純物を捕捉することで、記録ヘッド１４への不純物の流入を抑制する。インク流動路２０８には、キャリッジ１８のインク供給針１８ａが挿入されている。インク貯留室２０４内のインクは、記録ヘッド１４からの吸引によって、インク流動路２０８とインク供給針１８ａとを流れ、記録ヘッド１４に供給される。記録ヘッド１４に供給されたインクは、ノズルを介して外部（記録媒体）に向かって噴射される。
【００４３】
ここで利用者は、図２に示す液体補充状態（第２の姿勢）でインクを液体収容室５０に補充した後、液体収容室５０を栓部材５９で密閉する。その後、利用者は、液体収容ユニット３０の姿勢を、図１や図４に示す使用状態（第１の姿勢）とする。このとき、液体収容室５０（液体収容室）内の空気が姿勢の変化に伴って膨張し、液体収容室５０内は負圧となる。また、記録ヘッド１４から液体収容室５０のインクが吸引されることによっても、液体収容室５０内は負圧に維持される。
【００４４】
このような第１の姿勢（図４）において、液体収容室５０の液体導出口５７１は、液体収容室を形成する本体５１が鉛直下方向に突出している部分に取り付けられた液体導出部材５７に設けられている。また、液体収容室５０の空気導入口５６１は、液体収容室を形成する本体５１の鉛直下方向の端部に取り付けられた開口部材５６に設けられている。このため、液体収容室５０内のインクが消費されることに伴って、液体収容室５０内の液面ＬＳが低下しても、インクが液体収容室５０内に取り込まれた大気と直接接触する面（大気接触面、メニスカス）ＷＨは、長時間に亘り一定の高さに維持される。また、使用状態（第１の姿勢）において、液体収容室５０内に大気を取り込む空気導入口５６１は、記録ヘッド１４よりも、鉛直下方向において低い位置となるように配置される。これにより、液体収容室５０の大気接触面（メニスカス）ＷＨと、記録ヘッド１４の鉛直下方向の面に設けられているノズルとの間には、水頭差ｄ１が発生する。
【００４５】
記録ヘッド１４がインクを消費（具体的には、ノズルからインクを吐出）することに伴う圧力変化によって、液体収容室５０内は所定の負圧以上となる。所定の負圧以上になると、液体収容室５０内のインクは、第２のチューブ９７と、第１の接続体７０と、流通管９９とを介してインク貯留室２０４（記録ヘッド１４側）に供給される。すなわち、インク貯留室２０４には、記録ヘッド１４が消費したと同じ量のインクが、液体収容室５０から自動的に補充される。このインクの自動的な補充は、換言すれば、大気接触面（メニスカス）ＷＨと、記録ヘッド１４のノズルと、の間の鉛直方向の高さの差（水頭差ｄ１）よりも、記録ヘッド１４がインクを消費することに伴う圧力変化（負圧）が大きくなった際に生じる。
【００４６】
液体収容室５０内のインクが消費されると、空気収容室６０内の大気が、空気導入口５６１から気泡として、液体収容室５０内に導入される。これにより液体収容室５０内の液面ＬＳは低下する。一方、上述の通り、液体収容室５０の大気接触面（メニスカス）ＷＨは一定に維持されていることから、水頭差ｄ１は一定に維持される。このため、液体収容室５０から記録ヘッド１４に対して、安定してインクを供給することができる。
【００４７】
Ａ−３．液体供給装置の構成：
次に、液体供給装置（液体収容ユニット３０、空気収容室６０）の構成と、位置関係とについて説明する。
【００４８】
図５は、使用状態（第１の姿勢）の液体供給装置について説明する図である。上述の通り、本実施形態の液体供給装置は、液体収容室５０と、空気収容室６０と、第１の接続体７０と、支持部８０と、第１のチューブ９６と、第２のチューブ９７とを備えている。図５は、X軸正方向側から見た各部を模式的に示している。
【００４９】
液体収容室５０は、本体５１と、第１の状態表示部５２と、第２の状態表示部５３と、開口部材５６と、液体導出部材５７と、液体注入部５８と、栓部材５９とを備えている。
【００５０】
本体５１は、中空の略柱体形状の部材である。本体５１は、前面（第１面、第１壁）５０１と、背面（第２面、第２壁）５０２と、左側面（第１側面、第１側壁）５０３と、右側面（第２側面、第２側壁）５０４と、上面（第３面、第３壁）５０５と、底面（第４面、第４壁）５０６と、を備えている。前面５０１と背面５０２とは対向する。同様に、左側面５０３と右側面５０４とは対向する。前面５０１、背面５０２、左側面５０３、右側面５０４は、プリンター１０の設置面に対して略垂直な面である。左側面５０３と右側面５０４とは、それぞれ、前面５０１と背面５０２と交差している。一方、上面５０５と底面５０６とは対向する。上面５０５、底面５０６は、略水平な面である。すなわち、本体５１の各面５０１〜５０６は、それぞれ、図１で説明したプリンター１０の筺体１２の各面１０１〜１０６と対応している。
【００５１】
本体５１は、底面５０６の一部分が突出した突出部を有している。また、本体５１には、開口部材５６が配置されている位置と、液体導出部材５７が配置されている位置と、液体注入部５８が配置されている位置と、にそれぞれ対応する位置に、各部５６，５７，５８の開口に対応した大きさの開口が形成されている。本体５１は、例えばポリプロピレン等の合成樹脂により成形されている。また、本体５１は半透明である。上述の通り、本体５１の内側の空間はインクを収容する液体収容室として機能する。このため利用者は、液体収容室５０に液体を補充する際に、外部から液体収容室（本体５１）内のインクの水位を確認することができる。
【００５２】
第１の状態表示部５２は、液体噴射システム１の使用状態（第１の姿勢）におけるインクの満量位置（上限位置）を示す表示である。第１の状態表示部５２は、本体５１の前面５０１の所定位置、換言すれば、本体５１において開口部材５６が配置されている面と反対側の面の所定位置に配置されている。この所定位置は、液体収容室５０内に収容可能なインクの量に応じて、適宜決定できる。第１の状態表示部５２は、例えば、Ｘ軸方向に延びる線状の表示でもよいし、例えば矢印等の図形や記号等を用いた表示でもよい。第１の状態表示部５２は、本体５１と一体成型された凹部や凸部でもよいし、本体５１に印刷されていてもよい。
【００５３】
第２の状態表示部５３は、液体噴射システム１の液体補充状態（第２の姿勢）におけるインクの満量位置（上限位置）を示す表示である。第２の状態表示部５３は、本体５１の上面５０５の所定位置、換言すれば、本体５１において第１の状態表示部５２が配置されている面と垂直な面の所定位置に配置されている。この所定位置は、液体収容室５０内に収容可能なインクの量に応じて、適宜決定できる。第２の状態表示部５３は、第１の状態表示部５２と同様に、例えば、Ｘ軸方向に延びる線状の表示でもよいし、例えば矢印等の図形や記号等を用いた表示でもよい。第２の状態表示部５３は、本体５１と一体成型された凹部や凸部でもよいし、本体５１に印刷されていてもよい。
【００５４】
なお、本体５１にはさらに、利用者に液体の補充を促す目的で、液体噴射システム１の使用状態／液体補充状態における各インクの下限位置を示す表示が含まれていてもよい。
【００５５】
開口部材５６は、両端が開口した円筒形状の部材である。開口部材５６は、本体５１の背面５０２の所定位置において、本体５１から外側に配置されている。この所定位置は、使用状態（第１の姿勢）における本体５１の鉛直方向（Ｚ軸方向）の下側部分であればよい。ここで「鉛直方向の下側部分」とは、本体５１の鉛直方向の中央位置よりも下側であればよい。また、所定位置は、使用状態におけるインクの下限位置よりも下側であることが好ましい。本実施形態の場合、開口部材５６は、本体５１の背面５０２の鉛直下方向の端部に配置されている。開口部材５６は、本体５１と同様に合成樹脂により成形されている。開口部材５６は、本体５１と一体成形されてもよい。開口部材５６の一端にある開口は、本体５１の開口と連通し、開口部材５６の他端にある開口は、第１のチューブ９６を介して空気収容室６０と連通している。本実施系形態では、開口部材５６の一端にある開口が、空気導入口５６１に相当する。
【００５６】
液体導出部材５７は、開口部材５６と同様に、両端が開口した円筒形状の部材である。液体導出部材５７は、本体５１の突出部において、本体５１から外側に配置されている。すなわち、液体導出部材５７は、開口部材５６よりも鉛直方向（Ｘ軸方向）の下側に配置されている。液体導出部材５７は、本体５１と同様に合成樹脂により成形されている。液体導出部材５７は、本体５１と一体成形されてもよい。液体導出部材５７の一端にある開口は、本体５１の開口と連通し、液体導出部材５７の他端にある開口は、第２のチューブ９７を介して第１の接続体７０（およびその先にある記録ヘッド１４）と連通している。
【００５７】
液体注入部５８は、両端が開口した円筒形状の部材である。液体注入部５８の開口の断面積は、開口部材５６および液体導出部材５７の開口の断面積よりも大きい。液体注入部５８は、本体５１の背面５０２の所定位置、換言すれば、本体５１において開口部材５６が配置されている面の所定位置において、本体５１から外側に配置されている。この所定位置は、本体５１の鉛直方向（Ｚ軸方向）の中央よりも上側であればよく、さらには、使用状態（第１の姿勢）におけるインクの上限位置よりも上側であることが好ましい。本実施形態の場合、液体注入部５８は、本体５１の背面５０２の鉛直上方向の端部に配置されている。液体注入部５８は、本体５１と同様に合成樹脂により成形されている。液体注入部５８は、本体５１と一体成形されていてもよい。液体注入部５８の一端にある開口は、本体５１の開口と連通し、液体注入部５８の他端にある開口は、大気と連通している。
【００５８】
栓部材５９は、液体注入部５８の開口以上の断面積を有する中実の円筒形状の本体部と、本体部の略中央から突出したつまみ部とを有する部材である。栓部材５９は、可撓性を有する樹脂部材（例えばゴム）により成形されている。栓部材５９は、本体５１の液体注入部５８を閉塞することによって、液体収容室５０内からインクが流出することを抑制する。
【００５９】
空気収容室６０は、本体６１と、隔壁６２と、第１の開口部材６５と、第２の開口部材６９とを備えている。
【００６０】
本体６１は、中空の略柱体形状の部材である。本体６１は、前面（第１面、第１壁）６０１と、背面（第２面、第２壁）６０２と、左側面（第１側面、第１側壁）６０３と、右側面（第２側面、第２側壁）６０４と、上面（第３面、第３壁）６０５と、底面（第４面、第４壁）６０６と、を備えている。前面６０１と背面６０２とは対向する。同様に、左側面６０３と右側面６０４とは対向する。前面６０１、背面６０２、左側面６０３、右側面６０４は、プリンター１０の設置面に対して略垂直な面である。左側面６０３と右側面６０４とは、それぞれ、前面６０１と背面６０２と交差している。一方、上面６０５と底面６０６とは対向する。上面６０５、底面６０６は、略水平な面である。すなわち、本体６１の各面６０１〜６０６は、それぞれ、図１で説明したプリンター１０の筺体１２の各面１０１〜１０６、および、上述した液体収容室５０の本体５１の各面５０１〜５０６と対応している。
【００６１】
本体６１には、第１の開口部材６５が配置されている位置と、第２の開口部材６９が配置されている位置と、にそれぞれ対応する位置に、各部６５，６９の開口に対応した大きさの開口が形成されている。本体６１は、例えばポリプロピレン等の合成樹脂により成形されている。
【００６２】
隔壁６２は、本体６１の内部を区画するための板状部材である。隔壁６２は、本体６１の空間内部において、底面６０６から背面６０２と平行に延伸するように配置されている。隔壁６２は、鉛直上方向の端部が開口している（開口６２１）。この開口６２１によって、本体６１の内部空間と、隔壁６２により区画された空間とが連通する。隔壁６２は、本体６１と同様に合成樹脂により成形されている。隔壁６２は、本体６１と一体成形されてもよい。なお、隔壁６２は、本体６１の内部を区画している限りにおいて任意の態様を採用できる。例えば、隔壁６２は、背面６０２に平行に延伸する面と右側面６０４（または左側面６０３）に平行に延伸する面とを有する略Ｌ字形状であってもよい。
【００６３】
第１の開口部材６５は、両端が開口した円筒形状の部材である。第１の開口部材６５は、本体６１の前面６０１の所定位置において、本体６１から外側に配置されている。この所定位置は、任意に定めることができる。本実施形態の場合、第１の開口部材６５は、本体６１の前面６０１の鉛直下方向の端部に配置されている。第１の開口部材６５は、本体６１と同様に合成樹脂により成形されている。第１の開口部材６５は、本体６１と一体成形されてもよい。第１の開口部材６５の一端にある開口は、本体６１の開口と連通し、第１の開口部材６５の他端にある開口は、第１のチューブ９６を介して液体収容室５０と連通している。
【００６４】
第２の開口部材６９は、両端が開口した円筒形状の部材である。第２の開口部材６９は、本体６１の背面６０２の所定位置において、本体６１から外側に配置されている。この所定位置は、隔壁６２で区画されている部分である限りにおいて、任意に定めることができる。本実施形態の場合、第２の開口部材６９は、本体６１の背面６０２の鉛直下方向の端部に配置されている。第２の開口部材６９は、本体６１と同様に合成樹脂により成形されている。第２の開口部材６９は、本体６１と一体成形されてもよい。第２の開口部材６９の一端にある開口は、本体６１の開口と連通し、第２の開口部材６９の他端にある開口は、大気と連通している。本実施形態では、空気収容室６０の第２の開口部材６９の他端側の開口が、大気開放口６９１に相当する。
【００６５】
第１の接続体７０は、本体７１と、第１の開口部材７５と、第２の開口部材７９とを備えている。
【００６６】
本体７１は、中空の略柱体形状の部材である。本体７１には、第１の開口部材７５が配置されている位置と、第２の開口部材７９が配置されている位置と、にそれぞれ対応する位置に、各部７５，７９の開口に対応した大きさの開口が形成されている。本体７１は、例えばポリプロピレン等の合成樹脂により成形されている。
【００６７】
第１の開口部材７５は、両端が開口した円筒形状の部材である。第１の開口部材７５は、本体７１の一方の面において、本体７１から外側に配置されている。第１の開口部材７５が配置されている位置は、任意に定めることができる。第１の開口部材７５は、本体７１と同様に合成樹脂により成形されている。第１の開口部材７５は、本体７１と一体成形されてもよい。第１の開口部材７５の一端にある開口は、本体７１の開口と連通し、第１の開口部材７５の他端にある開口は、第２のチューブ９７を介して液体収容室５０と連通している。
【００６８】
第２の開口部材７９は、両端が開口した円筒形状の部材である。第２の開口部材７９は、本体７１の他方の面（一方の面とは反対側の面）において、本体７１から外側に配置されている。第２の開口部材７９が配置されている位置は、任意に定めることができる。第２の開口部材７９は、本体７１と同様に合成樹脂により成形されている。第２の開口部材７９は、本体７１と一体成形されてもよい。第２の開口部材７９の一端にある開口は、本体７１の開口と連通し、第２の開口部材７９の他端にある開口は、流通管９９を介して記録ヘッド１４と連通している（図２、図４）。
【００６９】
第１のチューブ９６は、液体収容室５０と空気収容室６０とを接続すると共に、チューブ内に大気開放流路を形成する。第１のチューブ９６は、両端が開口した円筒形状のホースである。第１のチューブ９６は、可撓性を有する樹脂部材（例えばゴム）により成形されている。本実施形態の第１のチューブ９６は、液体収容室５０の本体５１の高さ（すなわち、Ｚ軸方向における長さ）と、空気収容室６０の本体６１の高さと、プリンター１０内部において液体収容室５０および空気収容室６０が配置されている位置間の長さと、を加算した長さよりも長い。このため、使用状態（第１の姿勢）において、本実施形態の第１のチューブ９６は、液体収容室５０と空気収容室６０との間で鉛直方向（Ｚ軸方向）に湾曲し、その一部が、インクの満量位置を示す第１の状態表示部５２よりも、鉛直方向の上側に位置している。本実施形態では、第１のチューブ９６のうち、液体収容室５０の第１の状態表示部５２よりも鉛直方向の上側に位置している部分が「上位部分」に相当する。
【００７０】
第２のチューブ９７は、液体収容室５０と第１の接続体７０とを接続すると共に、チューブ内に液体供給流路を形成する。第２のチューブ９７は、第１のチューブ９６と同様の材料を用いて、第１のチューブ９６と同様の形状（長さ含む）に形成されている。このため、使用状態（第１の姿勢）において、本実施形態の第２のチューブ９７は、液体収容室５０と空気収容室６０との間で鉛直方向（Ｚ軸方向）に湾曲し、その一部が「上位部分」を構成する。
【００７１】
支持部８０は、第１のチューブ９６および第２のチューブ９７を支持する。支持部８０は、弾性体８１と、支持棒８２と、レール８３とを備えている。
【００７２】
弾性体８１は、例えばバネ等の弾性を有する部材により構成されている。弾性体８１のうち、鉛直方向の上端部分は、プリンター１０の筺体１２の内側の上壁（内壁１２１）に固定されている。弾性体８１の鉛直方向の下端部分には、支持棒８２が固定されている。レール８３は、支持棒８２を鉛直方向に沿って移動させるためのガイドであり、例えば金属により構成されている。レール８３は、プリンター１０の筺体１２の内側の側壁（内壁１２１と交差する側壁）に固定されている。
【００７３】
支持棒８２は、第１のチューブ９６と第２のチューブ９７とを支持するための部材である。本実施形態の支持棒８２は、直径ｄの円板をＸ軸方向に延伸させた円柱形状を有している。支持棒８２のうち、Ｘ軸方向の略中央部分には弾性体８１が固定されている。また、支持棒８２は、−Ｘ方向の一端がレール８３に対してスライド可能な態様で嵌合されており、＋Ｘ方向の一端が開放されている。支持棒８２は、ポリスチレンやポリエチレン等の合成樹脂により成形されている。なお、支持棒８２は中空でもよいし、中実でもよい。支持棒８２は、他の部材、例えば可撓性を有する樹脂部材（例えばゴム）により成形されていてもよい。支持棒８２は、Ｘ軸方向の両端が一対のレール８３に対して、それぞれスライド可能な態様で嵌合されていてもよい。
【００７４】
図５に示すように、支持棒８２は、第１のチューブ９６および第２のチューブ９７の鉛直方向の下側に通されている。上述の通り支持棒８２は、内壁１２１に固定された弾性体８１によって、鉛直方向の上側（図５、矢印方向）に付勢されている。この結果、支持棒８２は、第１のチューブ９６および第２のチューブ９７を、鉛直方向の下側から上側に向かって持ち上げるようにして保持する。ここで、支持棒８２の直径ｄは、持ち上げられている第１のチューブ９６および第２のチューブ９７のうち、各チューブ９６，９７が支持棒８２と接している（または最も近い）部分の曲率半径が、所定範囲内に収まるように決定される。この所定範囲は、各チューブ９６，９７内の流路が閉塞しない（または、過剰に狭まらない）程度の大きさに設定される。所定範囲は、第１のチューブ９６および第２のチューブ９７の太さ、材料、液体収容室５０に収容される液体の性質（粘度等）に応じて適宜設定することができる。
【００７５】
Ａ−４．液体供給装置の動作：
上述の通り、液体噴射システム１の使用状態（第１の姿勢）において、液体収容ユニット３０はプリンター１０に収納されている。このとき、液体収容ユニット３０の各液体収容室５０は、図５で説明した姿勢である。
【００７６】
図６は、液体補充状態（第２の姿勢）の液体共有装置について説明する図である。図６では、図５と同様に、Ｘ軸正方向から見た各部を模式的に示している。液体噴射システム１にインクを補充する際の動作について考える。インクの補充に際して利用者は、液体収容ユニット３０のケース４０の鉛直上方向の端部（ヒンジ４１が設けられている側とは逆側の端部）を押下する。すると、図示しないケース４０の保持機構が解除され、ケース４０は、ヒンジ４１を回転軸として図１の白抜き矢印で示す方向へ開く（図２）。ケース４０が開いた状態（すなわち、液体補充状態における第２の姿勢）の液体収容ユニット３０において、各液体収容室５０は、図６で示した姿勢となる。
【００７７】
このように、使用状態における第１の姿勢（図５）から液体補充状態における第２の姿勢（図６）への変化、および、液体補充状態における第２の姿勢（図６）から使用状態における第１の姿勢（図５）への変化に伴って、実際に姿勢の変化が生じるのは液体収容室５０だけであり、空気収容室６０および第１の接続体７０には、姿勢の変化が生じない。また、大気開放流路を形成する第１のチューブ９６の一端は液体収容室５０の空気導入口５６１と接続され、液体供給流路を形成する第２のチューブ９７の一端は液体導出口５７１と接続されている。このため、液体収容室５０の姿勢が変化した場合、液体収容室５０の動きに追従して各チューブ９６，９７にも動きが生じる。
【００７８】
しかし、本実施形態の液体供給装置（液体収容室５０を含む液体収容ユニット３０、空気収容室６０）では、このような各チューブ９６，９７の動きは支持部８０によって規制される（図５、図６）。このため、本実施形態の液体供給装置では、第１のチューブ９６が大きく動いてチューブに負荷が掛ることに伴うチューブ内の大気開放流路の閉塞と、第２のチューブ９７が大きく動いてチューブに負荷が掛ることに伴うチューブ内の液体供給流路の閉塞と、を抑制することができる。
【００７９】
以上のように、本実施形態の液体供給装置（液体収容室５０を含む液体収容ユニット３０、空気収容室６０）によれば、大気開放流路や、液体供給流路の閉塞に起因して、インク（液体）が記録ヘッド１４に対して正しく供給できなくなるという問題の発生を低減することができ、プリンター１０（液体噴射装置）への液体供給の安定化を図ることができる。
【００８０】
また、本実施形態の液体供給装置（液体収容室５０を含む液体収容ユニット３０、空気収容室６０）によれば、第１のチューブ９６および第２のチューブ９７のうち、支持部８０によって支持されている少なくとも一部分（上位部分）の曲率が所定範囲内に維持される。このため、第１のチューブ９６および第２のチューブ９７の屈曲に伴うチューブ内の流路（大気開放流路、液体供給流路）の閉塞を、より効果的に抑制することができる。
【００８１】
さらに、本実施形態の液体供給装置（液体収容室５０を含む液体収容ユニット３０、空気収容室６０）によれば、第１のチューブ９６のうち、支持部８０に保持されている少なくとも一部分（上位部分）は、液体収容室５０における液体の上限位置（第１の状態表示部５２）よりも鉛直方向の上側を通過する。このため、液体収容室５０から第１のチューブ９６内に漏出したインク（液体）が、チューブ内を伝って外部へ漏出することを抑制することができる。
【００８２】
さらに、本実施形態の液体供給装置（液体収容室５０を含む液体収容ユニット３０、空気収容室６０）によれば、第１のチューブ９６および第２のチューブ９７のうち、支持部８０に保持されている少なくとも一部分（上位部分）は、使用状態における第１の姿勢（図５）と、液体補充状態における第２の姿勢（図６）との両方において、換言すれば、姿勢変化の前後に亘って、鉛直方向の下側方向から上側方向に向かって支持部８０により付勢されている。このため、液体収容室５０から第１のチューブ９６内に漏出したインク（液体）が、チューブ内を伝って外部へ漏出することを、より効果的に抑制することができる。
【００８３】
さらに、本実施形態の液体供給装置（液体収容室５０を含む液体収容ユニット３０、空気収容室６０）によれば、大気開放流路３００の一部に空気を収容可能な空気収容室６０が形成されているため、空気収容室６０から第１のチューブ９６内に漏出したインク（液体）を、この空気収容室６０に収容することができる。このため、液体収容室５０から第１のチューブ９６内に漏出した液体がインク（液体）へ漏出することを、より効果的に抑制することができる。
【００８４】
さらに、本実施形態の液体供給装置（液体収容室５０を含む液体収容ユニット３０、空気収容室６０）によれば、液体供給装置を収容する部材（筺体１２の内壁１２１）に支持部８０を取り付けることで、液体供給装置を含むシステム（例えば液体噴射システム１）の構成を簡略化することができる。
【００８５】
Ａ−５．他の実施形態：
上述した液体供給装置はあくまで実施形態の一例に過ぎず、液体供給装置は種々の実施形態を採用し得る。例えば、次に列挙する他の実施形態を採用してもよい。次に列挙する他の実施形態は、上述した液体供給装置に置換される形で採用されてもよく、少なくとも一部を上述した液体供給装置に組み合わせる形で採用されてもよい。なお、図中において上記実施形態と同様の構成および動作を有する部分については、先に説明した実施形態と同様の符号を付し、その詳細な説明を省略する。すなわち、以下に説明しない構成および動作は、上述した実施形態と同じである。
【００８６】
（１）他の実施形態１：
図７は、使用状態における他の実施形態１の液体供給装置について説明する図である。図８は、液体補充状態における他の実施形態１の液体供給装置について説明する図である。図７および図８は、X軸正方向側から見た各部を模式的に示している。図５および図６に示した上記実施形態との違いは、液体収容室５０に代えて液体収容室５０ａを備える点と、空気収容室６０に代えて空気収容室６０ａを備える点と、液体収容室５０ａと空気収容室６０ａとが一体とされている点と、ケース４０に代えてケース４０ａを備える点と、支持部８０に代えて支持部８０ａを備える点と、さらに第２の接続体９０を備える点である。
【００８７】
液体収容室５０ａは、液体注入部５８に代えて液体注入部５８ａを備え、第２の状態表示部５３と開口部材５６とを備えない。液体注入部５８ａは、背面５０２に代えて上面５０５に配置されている点を除いては、上記実施形態の液体注入部５８と同じである。
【００８８】
空気収容室６０ａは、第２の開口部材６９に代えて第２の開口部材６９ａを備え、第１の開口部材６５を備えず、さらに、第２の隔壁６３を備えている。第２の開口部材６９ａは、背面６０２の鉛直方向の中央より上側に配置されている点を除いては、上記実施形態の第２の開口部材６９と同じである。第２の隔壁６３は、本体６１の内部を区画するための板状部材である。第２の隔壁６３は、本体６１の内部空間であって、隔壁６２と背面６０２との間の空間を、上面６０５から背面６０２と平行に延伸するように配置されている。第２の隔壁６３は、鉛直下方向の端部が開口している。第２の隔壁６３は、本体６１と同様に、合成樹脂により成形されている。第２の隔壁６３は、本体６１と一体成形されていてもよい。
【００８９】
上述した液体収容室５０ａと空気収容室６０ａとは、一体に成形されている。すなわち、液体収容室５０ａの背面５０２と、空気収容室６０ａの前面６０１とは、一枚の板状部材である隔壁６４により構成されている。隔壁６４は、鉛直下方向の端部が開口している（空気導入口５６１）。本実施形態では、この空気導入口５６１の開口近傍に、大気と直接連通する液面（メニスカス）が形成される。
【００９０】
ケース４０ａは、第１実施形態で説明した各部（ヒンジ４１、外側ケース４２、内側ケース４３）に代えて、ケース筐体４６と、アーム４７と、を備えている。ケース筐体４６は、鉛直上方向の面（液体収容室５０ａの上面５０５と、空気収容室６０ａの上面６０５とに対応する面）が開口した箱形状である。ケース筐体４６の内部には、一体に成形された液体収容室５０ａおよび空気収容室６０ａが収納されている。また、ケース筐体４６には、第１のチューブ９６および第２のチューブ９７を外部へ通すための開口が形成されている。アーム４７は、ケース筐体４６の側面（空気収容室６０ａの背面６０２に対応する面）の所定位置に設けられた突出部である。アーム４７は、ケース４０ａを支持部８０ａの支持棒８７に固定する。
【００９１】
支持部８０ａは、第１実施形態で説明した各部（弾性体８１、支持棒８２、レール８３）に代えて、レール８５と、ランナー８６と、支持棒８７と、回転軸８８と、を備えている。レール８５は、支持棒８７をレール８５に沿って移動させるためのガイドであり、例えば金属により構成されている。レール８５の鉛直下方向の端部は、回転軸８８によって保持されている。レール８５は、回転軸８８を中心として回転することができる。
【００９２】
ランナー８６は、レール８５に沿って支持棒８７を移動させるための部材である。ランナー８６は、一端がレール８５の溝に嵌合されており、他端に支持棒８７が固定されている。支持棒８７は、ケース４０ａを支持するための部材である。支持棒８７は、四角柱形状を有している。上述の通り、支持棒８７の一端はケース４０ａのアーム４７に固定され、支持棒８７の他端はランナー８６に固定されている。
【００９３】
図７に示すように、本実施形態では、レール８５の鉛直上方向の端面が、第１のチューブ９６および第２のチューブ９７の鉛直方向の下側に通されている。この結果、レール８５は、第１のチューブ９６および第２のチューブ９７を、鉛直方向の下側から上側に向かって持ち上げるようにして保持する。なお、レール８５の鉛直上方向の端部には、上述した直径ｄを有する球や半円柱が配置されていることが好ましい。
【００９４】
第２の接続体９０は、本体９１と、第１の開口部材９２と、第２の開口部材９３と、透湿防水部材９４と、を備えている。
【００９５】
本体９１は、中空の略柱体形状の部材である。本体９１には、第１の開口部材９２が配置されている位置と、第２の開口部材９３が配置されている位置と、にそれぞれ対応する位置に、各部９２，９３の開口に対応した大きさの開口が形成されている。本体９１は、例えばポリプロピレン等の合成樹脂により成形されている。透湿防水部材９４は、例えばゴアテックス（登録商標）等の気液分離膜である。透湿防水部材９４は、本体９１内の所定位置（例えばＹ軸方向の略中央部）において、本体９１内の空間をＹ軸方向に遮断するように配置されている。
【００９６】
第１の開口部材９２は、両端が開口した円筒形状の部材である。第１の開口部材９２は、本体９１の一方の面において、本体９１から外側に配置されている。第１の開口部材９２が配置されている位置は任意に定めることができる。第１の開口部材９２は、本体９１と同様に合成樹脂により成形されており、本体９１と一体成形されていてもよい。第１の開口部材９２の一端にある開口は、本体９１の開口と連通し、第１の開口部材９２の他端にある開口は、第１のチューブ９６を介して空気収容室６０ａと連通している。
【００９７】
第２の開口部材９３は、両端が開口した円筒形状の部材である。第２の開口部材９３は、本体９１の他方の面（一方の面とは反対側の面）において、本体９１から外側に配置されている。第２の開口部材９３が配置されている位置は、任意に定めることができる。第２の開口部材９３は、本体９１と同様に合成樹脂により成形されており、本体９１と一体成形されてもよい。第２の開口部材９３の一端にある開口は、本体９１の開口と連通し、第２の開口部材９３の他端にある開口は、大気と連通している。
【００９８】
本実施形態では、第２の接続体９０の第２の開口部材９３の他端側の開口が、大気開放口に相当する。また、液体収容室５０ａと空気収容室６０ａとの間の隔壁６４により形成された開口（空気導入口５６１ａ）が、空気導入口として機能する。さらに、空気収容室６０ａの本体６１内において、インクの満量位置（上限位置）を示す第１の状態表示部５２よりも鉛直方向の上側に位置している部分と、第１のチューブ９６内において、インクの満量位置（上限位置）を示す第１の状態表示部５２よりも鉛直方向の上側に位置している部分とが、それぞれ「上位部分」に相当する。第２の接続体９０の第２の開口部材９３の他端側の開口（大気開放口）から第２の開口部材９３内を通過し、本体９１内と第１のチューブ９６内と本体６１内とを通過し、隔壁６４により形成された開口（空気導入口５６１ａ）に至るまでの経路が大気開放流路３００に相当する。
【００９９】
以上説明した他の実施形態によれば、上記実施形態と同様の効果を奏することができる。また、以上説明した他の実施形態によれば、液体収容室５０ａの動きに追従して移動する第１のチューブ９６の少なくとも一部分（上位部分）は、図７に示す使用状態と図８に示す液体補充状態との移動の前後を通して、液体収容室５０ａにおける液体の上限位置（第１の状態表示部５２）よりも鉛直方向の上側に支持される。このため、液体収容室５０ａから第１のチューブ９６内に漏出した液体が、チューブ９６内を伝って外部へ漏出することを、より効果的に抑制することができる。なお、本実施形態において「姿勢の変化」には図７、図８で示す「位置の変化」も含む。
【０１００】
また、他の実施形態によれば、液体供給装置（液体収容ユニット３０ａ）には、空気収容室６０ａから独立して交換可能な防水室（第２の接続体９０）が含まれ、透湿防水部材９４は、この防水室内に収容されている。このため、透湿防水部材９４が濡れた場合に、防水室だけを簡単に交換することができると共に、交換に必要なコストを低減することができる。
【０１０１】
Ｂ．変形例：
なお、本発明の上記実施例や実施形態に限られるものではなく、その要旨を逸脱しない範囲において種々の形態において実施することが可能であり、例えば次のような変形も可能である。
【０１０２】
・変形例１：
上記実施形態では、液体供給装置の構成について例示した。しかし、液体供給装置の構成は、本発明の要旨を逸脱しない範囲において任意に定めることが可能であり、例えば、各構成部の追加・削除・変換等を行うことができる。
【０１０３】
例えば、液体供給装置は、マリオット瓶の原理を利用せずにインクを液体噴射装置へと供給してもよい。
【０１０４】
例えば、液体収容室と空気収容室とを接続する第１のチューブは、第１の状態表示部よりも鉛直方向の上側を通過する上位部分を有さなくてもよい。また、液体収容室と空気収容室とを接続する第１のチューブが支持部により支持されていればよく、第２のチューブは支持部により支持されていなくてもよい。
【０１０５】
例えば、空気収容室は省略してもよい。この場合、例えば液体収容室に接続された第１のチューブの他端（液体収容室に接続されていない側の端部）が、大気開放口として機能する。
【０１０６】
例えば、第１の接続体と、第２の接続体とのうちの少なくとも一方は省略してもよい。例えば第１の接続体を省略する場合、第２のチューブによって液体収容室と記録ヘッドとが直接接続されていてもよい。例えば第２の接続体を省略する場合、第１のチューブのうち、液体収容室または空気収容室と接続されていない側の端部において、大気開放口が形成されていてもよい。また、第１の接続体や第２の接続体は、複数備えられていてもよい。例えば、液体収容室と空気収容室との中央部分（図５に示した第２のチューブの略中央部分）において、第１の接続体と同様の構成の接続体が設けられていてもよい。
【０１０７】
例えば、支持部の構成はあくまで一例であり、他の構成を採用してもよい。具体的には、弾性体に代えてソレノイドや油圧を用いることで、支持棒を付勢してもよい。各部の材料や形状についても任意に変更することができる。
【０１０８】
・変形例２：
上記実施形態では、液体噴射システムの構成について例示した。しかし、液体噴射システムの構成は、本発明の要旨を逸脱しない範囲において任意に定めることが可能であり、例えば、各構成部の追加・削除・変換等を行うことができる。
【０１０９】
例えば、液体補充時において、上記実施形態で説明した姿勢とは異なる第２の姿勢を採用してもよい。例えば、図示しないレールを内蔵し、ケースごと液体収容ユニット（液体収容室）をＸ軸方向にずらしてプリンターの筐体外部に各液体収容室を露出させることで液体を補充してもよい。この場合、液体収容室の上面に液体注入部が設けられることが好ましい。
【０１１０】
例えば、液体噴射システムにおいて、液体収容ユニットは、インク以外の他の液体（例えば、樹脂液など）を収容していてもよい。他の液体を収容する液体噴射システムが用いられる液体噴射装置としては、以下に列挙する各装置を採用できる。
（１）ファクシミリ装置等の画像記録装置
（２）液晶ディスプレイ等の画像表示装置用のカラーフィルタの製造に用いられる色材噴射記録装置
（３）有機ＥＬ(Electro Luminescence)ディスプレイや、面発光ディスプレイ (Field Emission Display、ＦＥＤ)等の電極形成に用いられる電極材噴射装置
（４）バイオチップ製造に用いられる生体有機物を含む液体を噴射する液体噴射装置
（５）精密ピペットとしての試料噴射装置
（６）潤滑油の噴射装置
（７）樹脂液の噴射装置
（８）時計やカメラ等の精密機械にピンポイントで潤滑油を消費する液体噴射装置
（９）光通信素子等に用いられる微小半球レンズ（光学レンズ）などを形成するために紫外線硬化樹脂液等の透明樹脂液を基板上に噴射する液体噴射装置
（１０）基板などをエッチングするために酸性又はアルカリ性のエッチング液を噴射する液体噴射装置
（１１）他の任意の微小量の液滴を吐出させる液体噴射ヘッドを備える液体噴射装置
【０１１１】
なお、「液滴」とは、液体噴射記録装置又は液体噴射装置から吐出される液体の状態をいい、粒状、涙状、糸状に尾を引くものも含むものとする。また、ここでいう「液体」とは、液体噴射記録装置又は液体噴射装置が液体を噴射できるような材料であれば良い。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。また、紫外線を照射して硬化可能なＵＶインクをこの液体収容部に収容してプリンターに接続した場合は、設置面から液体収容袋が浮くため、設置面の熱が液体収容部に伝って硬化する可能性が低減する。
【０１１２】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１１３】
１…液体噴射システム、１０…プリンター、１１…操作パネル、１２…筺体、１４…記録ヘッド、１６…排出部、１８…キャリッジ、１８ａ…インク供給針、２０…サブタンク、３０、３０ａ…液体収容ユニット、４０、４０ａ…ケース、４１…ヒンジ、４２…外側ケース、４３…内側ケース、４６…ケース筐体、４７…アーム、５０、５０Ｃ〜Ｙ、５０ａ…液体収容室、５１…本体、５２…第１の状態表示部、５３…第２の状態表示部、５６…開口部材、５７…液体導出部材、５８…液体注入部、５８ａ…液体注入部、５９…栓部材、６０、６０Ｋ〜Ｙ、６０ａ…空気収容室、６１…本体、６２…隔壁、６３…第２の隔壁、６４…隔壁、６５…第１の開口部材、６９、６９ａ…第２の開口部材、７０…第１の接続体、７１…本体、７５…第１の開口部材、７９…第２の開口部材、８０、８０ａ…支持部、８１…弾性体、８２…支持棒、８３…レール、８５…レール、８６…ランナー、８７…支持棒、８８…回転軸、９０…第２の接続体、９１…本体、９２…第１の開口部材、９３…第２の開口部材、９４…透湿防水部材、９６…第１のチューブ、９７…第２のチューブ、９９…流通管、１２１…内壁、２０２…液体受入部、２０４…インク貯留室、２０６…フィルター、２０８…インク流動路、３００…大気開放流路、３１０…第１の流路、３２０…第２の流路、５６１、５６１ａ…空気導入口、５７１…液体導出口、６５１…液体室側開口、６９１…大気開放口
【図１】
2017154253.tif 000003
【図２】
2017154253.tif 000004
【図３】
2017154253.tif 000005
【図４】
2017154253.tif 000006
【図５】
2017154253.tif 000007
【図６】
2017154253.tif 000008
【図７】
2017154253.tif 000009
【図８】
2017154253.tif 000010